(57)【要約】【課題】  モジュール装置２を点検・交換するためには、モジュール装置２上に設けられたファイバトレイ３を取り外す必要があり、また、取り外すためには、ファイバトレイ３内で余長処理した光ファイバケーブルを解く必要があり、かつ、点検・交換後には光ファイバケーブルを元通りに巻きつける必要があった。【解決手段】  ファイバトレイ３の一側面側を回動自在にするとともに、光ファイバケーブルのファイバトレイへ３の導入口を上記一側面側に設け回動によっても光ファイバケーブルにストレスを加えない構造にした。【選択図】          図１
2010091847.tif 000002
【特許請求の範囲】
【請求項１】
筐体内に設置され、電子部品を内蔵したモジュール装置、このモジュール装置上に設けられ、光コネクタを介して上記モジュール装置に接続されたモジュール側光ファイバケーブルを導入するとともに、上記筐体外部から引き込まれた外部光ファイバケーブルを導入してこれら光ファイバケーブルの余長処理をおこなうファイバトレイ、このファイバトレイの一側面に設けられ、該一側面側を中心に上記ファイバトレイを回動可能に支持し、回動により上記モジュール装置を取り外し可能にするヒンジ装置を備え、上記モジュール側光ファイバケーブル及び外部光ファイバケーブルの導入口は上記一側面側に設けられていることを特徴とする電子機器。
【請求項２】
筐体内に併設され、各々電子部品を内蔵した第１及び第２のモジュール装置、該第１のモジュール装置上に設けられ、光コネクタを介して上記第１及び第２のモジュール装置に各々接続されたモジュール側光ファイバケーブルを導入するとともに、上記筐体外部から引き込まれた外部光ファイバケーブルを導入してこれら光ファイバケーブルの余長処理をおこなうファイバトレイ、このファイバトレイの一側面に設けられ、該一側面側を中心に上記ファイバトレイを回動可能に支持し、回動により上記第１のモジュール装置を取り外し可能にするヒンジ装置を備え、上記モジュール側光ファイバケーブル及び外部光ファイバケーブルの導入口は上記一側面側に設けられていることを特徴とする電子機器。
【発明の詳細な説明】
【技術分野】
【０００１】
本発明は、光送受信機などの電子機器に関するものであり、特に、光ファイバケーブルを余長処理するファイバトレイを有する電子機器に関する。
【背景技術】
【０００２】
ＧＥ−ＰＯＮシステムにおける宅内装置にあっては、光−電気変換器等の電子機器を搭載したモジュール装置と外部からの光ファイバケーブル及び上記モジュール装置に接続される光ファイバケーブルを余長処理するファイバトレイとを一つの筐体内に収納してなるものである。
【０００３】
一般に、モジュール装置は筐体の底面側に組み付け、モジュール装置上にファイバトレイを取り付ける。外部光ファイバケーブルとモジュール側の光ファイバケーブルはスプライス等で接続された後、余長部分をファイバトレイ内の巻き付け部に巻き、モジュール側の光ファイバケーブル端部に設けた光コネクタをモジュール装置に差し込むことで組み付け作業を完了する。
【０００４】
一方、モジュール装置が故障したとき等の点検・交換時にはファイバトレイを取り外す必要があるが、外部側の光ファイバケーブルが固定されているので、そのまま取り外すと光ファイバにストレスが生じて損傷を与える恐れがある。そのため、モジュール装置の点検・交換時には、次のような手順で作業を行っている。
【０００５】
まず、モジュール装置に差し込まれている光コネクタを抜き、ファイバトレイ内に巻き付けている光ファイバケーブルをモジュール装置側から順次解いていく。光ファイバケーブルが解けると、ファイバトレイを取り外し、モジュール装置を点検・交換する。また、モジュール装置の点検・交換が完了すると、ファイバトレイをモジュール装置上へ取り付け、光ファイバケーブルを元通りにファイバトレイ内に巻き付け、光コネクタをモジュール装置に差し込んで作業を完了する。
【０００６】
なお、上述のような構成の電子機器の一例として下記特許文献１に記載されたものがある。
【０００７】
【特許文献１】特開２００６−１１５３４１号公報
【発明の開示】
【発明が解決しようとする課題】
【０００８】
従来の電子機器は、上述のようにモジュール装置を点検・交換するときにはファイバトレイを取り外して光ファイバケーブルを解く必要があり、多くの作業時間を要していた。また、モジュール装置が高所に設置されていた場合には、作業が著しく困難であり、工具を落とす等の危険性があった。さらに、点検・交換後には解いた光ファイバケーブルを元通りに巻き付けて余長処理する必要があり、非常に困難な作業を要していた。
【０００９】
本発明は、上述の問題点に鑑みてなされたものであり、ファイバトレイを取り外すことなくモジュール装置の点検・交換が可能な電子機器を提供することを目的としている。
【課題を解決するための手段】
【００１０】
本発明の請求項１に係る電子機器は、筐体内に設置され、電子部品を内蔵したモジュール装置、このモジュール装置上に設けられ、光コネクタを介して上記モジュール装置に接続されたモジュール側光ファイバケーブルを導入するとともに、上記筐体外部から引き込まれた外部光ファイバケーブルを導入してこれら光ファイバケーブルの余長処理を行うファイバトレイ、このファイバトレイの一側面に設けられ、該一側面側を中心に上記ファイバトレイを回動可能に支持し、回動により上記モジュール装置を取り外し可能にするヒンジ装置を備え、上記モジュール側光ファイバケーブル及び外部光ファイバケーブルの導入口は上記一側面側に設けられている構成にしたものである。
【００１１】
また、本発明の請求項２に係る電子機器は、筐体内に併設され、各々電子部品を内蔵した第１及び第２のモジュール装置、該第１のモジュール装置上に設けられ、光コネクタを介して上記第１及び第２のモジュール装置に各々接続されたモジュール側光ファイバケーブルを導入するとともに、上記筐体外部から引き込まれた外部光ファイバケーブルを導入してこれら光ファイバケーブルの余長処理を行うファイバトレイ、このファイバトレイの一側面に設けられ、該一側面側を中心に上記ファイバトレイを回動可能に支持し、回動により上記第１のモジュール装置を取り外し可能にするヒンジ装置を備え、上記モジュール側光ファイバケーブル及び外部光ファイバケーブルの導入口は上記一側面側に設けられている構成にしたものである。
【発明の効果】
【００１２】
本発明によれば、一側面側を中心に上記ファイバトレイを回動可能に支持するとともに、モジュール側光ファイバケーブル及び外部光ファイバケーブルの導入口を一側面側に設ける構成にしているので、回動させることによってモジュール装置が取り外し可能であり、また、回動させることによってモジュール側光ファイバケーブル及び外部光ファイバケーブルにストレスを与えることがないので、ファイバトレイ内の光ファイバケーブルを解いたり、元通りに巻き付けたりする必要もない。
【発明を実施するための最良の形態】
【００１３】
実施の形態１．
図１は本発明の実施の形態１に係る電子機器を示す構成図であり、１は電子機器の筐体であり、内部に電子部品を内蔵したモジュール装置２及びこのモジュール装置の上面に設けられたファイバトレイ３を収納している。ファイバトレイ３内にはモジュール装置２から引き出されたモジュール側光ファイバケーブル４及び筐体１外部から引き込まれた外部光ファイバケーブル５を導入しており、これらモジュール側光ファイバケーブル４と外部光ファイバケーブル５はスプライス（図示せず）を用いて接続された後、巻き付け部に巻き付けられて余長処理がなされている。６はファイバトレイ２の一側面側に設けられたヒンジ装置であり、該一側面側を中心にファイバトレイ２を回動可能に支持している。図２はヒンジ装置６によりファイバトレイ２を９０度回動させた状態を示している。７は光コネクタであり、モジュール側光ファイバケーブル４をモジュール装置２へ接続する。８、９はモジュール側光ファイバケーブル４及び外部光ファイバケーブル５の導入口で、上記ヒンジ装置６が設けられた一側面側に設けられている。
【００１４】
即ち、電子機器を設置するときには、外部の光ファイバケーブル５とモジュール装置２に接続する光ファイバケーブル４とを接続する必要がある。光ファイバケーブル４、５はヒンジ装置６が設けられたファイバトレイ３の一側面側の導入口８、９から導入され、スプライス等で接続されるが、これらの光ファイバケーブル４、５は余裕を持った長さとしているので、接続後に余分な光ファイバケーブルをファイバトレイ３内に巻き付けて余長処理を行い、最後に光コネクタ７をモジュール装置２に挿入して設置が完了する。
【００１５】
次に、モジュール装置２を故障等で点検・交換するときには、モジュール装置２上に設けたファイバトレイ３を取り外す必要があるが、この実施の形態では、図２に示すようにヒンジ装置６によって、一側面側を中心にファイバトレイ３が回動可能に構成されている。また、光ファイバケーブル４、５がヒンジ装置６を設けている一側面側の導入口８、９から導入されているので、ファイバトレイ３を回動させたとしても光ファイバケーブル４、５にストレスを与えることがないので、ファイバトレイ３内の光ファイバケーブルを解く必要がない。したがって、図２に示したようにファイバトレイ３を回動させ、光コネクタ７を引き抜くことにより、モジュール装置２の点検・交換を容易に行うことができる。
実施の形態２．
図３は本発明の実施の形態２に係る電子機器を示す構成図である。この実施の形態２は筐体１内に２つのモジュール装置２１、２２を併設して収納したものである。図３に示すように光コネクタ７１、７２を介してモジュール装置２１、２２と接続された光ファイバケーブル４１、４２は１段目のファイバトレイ３１の一側面側の導入口８１からファイバトレイ３１内へ導入されて余長処理がなされ、分岐結合器（図示せず）で１つの光ファイバケーブルとなって導入口８１から引き出される。
【００１６】
一方、外部光ファイバケーブル５は図４に示すように２段目のファイバトレイ３２の一側面側の導入口９２からファイバトレイ３２内へ導入されて余長処理を行い、１段目のファイバトレイ３１の一側面側の導入口８１から引き出された光ファイバケーブルとスプライス（図示せず）で接続される。
【００１７】
この実施の形態２の電子機器は、一つのモジュール装置２１上にはファイバトレイ３１、３２が設けられていないので、モジュール装置２１を点検・交換する場合は極めて容易に行うことができる。また、モジュール装置２２を点検・交換する場合は図５に示すようにヒンジ装置６によりモジュール装置２１、２２を回動させることで点検・交換することができる。この場合、光ファイバケーブル４１、４２がモジュール装置３１に導入される導入口８１はヒンジ装置６が設けられた一側面側であり、また、光ファイバケーブル５がモジュール装置３２に導入される導入口９２もヒンジ装置６が設けられた一側面側に設けられているので、ファイバトレイ３１、３２の回動によって光ファイバケーブル４１、４２、５にストレスを与えることがない。
【００１８】
このように、この実施の形態２ではモジュール装置２１の点検・交換がきわめて容易になるので、モジュール装置２１側を常用とし、モジュール装置２２を非常用として用いる場合に利便性がある。また、工場内でモジュール装置２１、２２の光ファイバケーブルの余長処理を１段目のファイバトレイ３１で行っておき、設置場所で外部ファイバケーブル５の余長処理を２段目のファイバトレイ３２で行うようにすれば、設置作業が容易になる。
実施の形態３．
図６は本発明の実施の形態３に係る電子機器を示す構成図である。この実施の形態３は筐体１内に２つのモジュール装置２１、２２併設し、各々のモジュール装置２１、２２上に２段にファイバトレイ３１、３２及び３３、３４を設けたものである。１段目のファイバトレイ３１、３３はモジュール装置２１、２２から引き出された光ファイバケーブル４１、４２の余長処理を行うためのものであり、２段目のファイバトレイ３２、３４は外部からの光ファイバケーブル５１、５２の余長処理を行うものである。図７はモジュール装置２１、２２の点検・交換を行うためにファイバトレイ３１、３１及び３３、３４をヒンジ装置６１、６２によって回動させた状態を示す。
【００１９】
この実施の形態３によれば、実施の形態２と同様に設置作業が容易になる。また、ファイバトレイ３１〜３４の回動によって光ファイバケーブル４１、４２、５１、５２にストレスを与えることがないので、点検・交換時にファイバトレイ３１〜３４内の光ファイバケーブルを解く必要がない。
【産業上の利用可能性】
【００２０】
本発明は、光ファイバケーブルの余長処理を行うファイバトレイを有する電子機器に適用することができる。
【図面の簡単な説明】
【００２１】
【図１】本発明の実施の形態１に係る電子機器を示す構成図である。
【図２】本発明の実施の形態１に係る電子機器のファイバトレイを回動させた状態を示す構成図である。
【図３】本発明の実施の形態２に係る電子機器を示す構成図である。
【図４】本発明の実施の形態２に係る電子機器を示す構成図である。
【図５】本発明の実施の形態２に係る電子機器のファイバトレイを回動させた状態を示す構成図である。
【図６】本発明の実施の形態３に係る電子機器を示す構成図である。
【図７】本発明の実施の形態３に係る電子機器のファイバトレイを回動させた状態を示す構成図である。
【符号の説明】
【００２２】
１  筐体    ２  モジュール装置    ３  ファイバトレイ    ４  光ファイバケーブル    ５光ファイバケーブル    ６  ヒンジ装置    ７  光コネクタ    ８、９  導入口
【図１】
2010091847.tif 000003
【図２】
2010091847.tif 000004
【図３】
2010091847.tif 000005
【図４】
2010091847.tif 000006
【図５】
2010091847.tif 000007
【図６】
2010091847.tif 000008
【図７】
2010091847.tif 000009